(57)【要約】【課題】従来よりも正確な映像評価を行うことができる映像評価に関する技術を提供する。【解決手段】映像を表示する映像表示システムの映像信号の表示性能を評価するための映像表示性能評価装置であって、前記画面に表示する映像データを格納する記憶部と、前記記憶部に格納されている映像データを抽出して映像信号として出力する映像信号生成部と、前記映像信号生成部で生成された映像信号に含まれる映像データを表示する画面を含む表示部と、を備える。そして、前記記憶部は、前記画像データとして、前記映像信号に基づいて前記画面に正しく映像が表示されるか否かを判断するためのテストパターンを格納し、前記映像信号生成部は、前記記憶部に格納されているテストパターンを抽出してテストパターン映像信号として出力する。【選択図】図１２
2010087793.tif 000002
【特許請求の範囲】
【請求項１】
映像を表示する映像表示システムの映像信号の表示性能を評価するための映像表示性能評価装置であって、
前記映像表示性能評価装置は、前記映像表示システム内に設けられ、
前記画面に表示する映像データを格納する記憶部と、
前記記憶部に格納されている映像データを抽出して映像信号として出力する映像信号生成部と、
前記映像信号生成部から出力された映像信号に含まれる映像データを表示する画面を含む表示部と、を備え、
前記記憶部は、前記画像データとして、前記映像信号に基づいて前記画面に正しく映像が表示されるか否かを判断するためのテストパターンを格納し、
前記映像信号生成部は、前記記憶部に格納されているテストパターンを抽出してテストパターン映像信号として出力し、
前記表示部は、前記画面に、前記映像信号生成部から出力されたテストパターン映像信号に含まれる前記テストパターンを表示する、映像表示性能評価装置。
【請求項２】
前記テストパターン映像信号には、前記映像信号に基づいて前記画面に正しく映像が表示されるか否かを判断するための情報として、映像信号の周波数特性を判断するための情報、前記画面のドットの位置のずれを確認するための情報、前記画面のずれを確認するための情報、色彩が正しく表示されているか否かを確認するための情報、のうち少なくとも何れか一つが含まれる、請求項１に記載の映像表示性能評価装置。
【請求項３】
前記テストパターンは、
白色のドットが敷き詰められた白色背景部と、該白色背景部に設けられた黒色のドットからなる格子状の黒色格子部と、からなる格子テストパターンと、
黒色のドットが敷き詰められた黒色背景部と、該黒色背景部の外郭を囲むように設けられた白色のドットからなる白色枠部と、からなる白枠線テストパターンと、
黒色のドットが敷き詰められた黒色背景部と、該黒色背景部に設けられた白色のドットからなる目盛り部と、からなる目盛りテストパターンと、
前記画面の水平方向に段階的に異なる色調のドット群からなる直線状の階調部であって、該画面の垂直方向において所定の間隔をあけて複数配置される階調部と、前記画面の垂直方向において前記階調部同士の間に設けられる白色のドットからなる直線状の白線部と、からなる階調テストパターンと、
前記画面に表示可能な全ての色調に対応した色を示すドットからなる色彩テストパターンと、
のうち少なくとも何れか一つを含む、請求項１又は請求項２に記載の映像表示性能評価装置。
【請求項４】
前記映像表示システムは、ナビゲーション装置に搭載され、
前記映像表示性能評価装置は、ナビゲーション装置に搭載された前記映像表示システムの映像信号の表示性能を評価する、請求項１から請求項３の何れか一に記載の映像表示性能評価装置。
【請求項５】
映像を表示する映像表示システムの映像信号の表示性能を評価するための映像表示性能評価方法であって、
前記画面に表示する映像データを格納する記憶ステップと、
前記記憶ステップで格納された映像データを抽出して映像信号として出力する映像信号生成ステップと、
前記映像信号生成ステップで出力された映像信号に含まれる映像データを画面に表示す
る表示ステップと、を含む工程をコンピュータが実行し、
前記記憶ステップでは、前記画像データとして、前記映像信号に基づいて前記画面に正しく映像が表示されるか否かを判断するためのテストパターンを格納し、
前記映像信号生成ステップでは、前記記憶ステップで格納するテストパターンを抽出してテストパターン映像信号として出力する、映像表示性能評価方法。
【請求項６】
映像を表示する映像表示システムの映像信号の表示性能を評価するための映像表示性能評価プログラムであって、
前記画面に表示する映像データを格納する記憶ステップと、
前記記憶ステップで格納された映像データを抽出して映像信号として出力する映像信号生成ステップと、
前記映像信号生成ステップで生成された映像信号に含まれる映像データを画面に表示する表示ステップと、を含む工程をコンピュータに実行させ、
前記記憶ステップでは、前記画像データとして、前記映像信号に基づいて前記画面に正しく映像が表示されるか否かを判断するためのテストパターンを格納し、
前記映像信号生成ステップでは、前記記憶ステップで格納するテストパターンを抽出してテストパターン映像信号として出力する、映像表示性能評価プログラム。
【発明の詳細な説明】
【技術分野】
【０００１】
本発明は、映像表示性能評価装置、映像表示性能評価方法、および映像表示性能評価プログラムに関する。
【背景技術】
【０００２】
携帯電話機、小型ゲーム機、ノート型コンピュータなどの電子機器の表示装置として、液晶表示装置が普及している（例えば特許文献１参照。）。液晶表示装置が搭載される電子機器には、住所、名前、電話番号等といった目的地を特定するための目的地情報と現在位置情報とに基づいて経路探索を行うナビゲーション装置もある（例えば、特許文献２参照。）。
【特許文献１】特開平１０−８２８１４号公報
【特許文献２】特開２００２−２２４６８号公報
【発明の開示】
【発明が解決しようとする課題】
【０００３】
液晶表示装置に代表される表示器を備える電子機器においては、例えば工場出荷時において、画面に映像が正しく表示されるか否かを検査するために、映像信号の表示性能の評価試験が行われる。ここで、図１は、従来技術における映像評価を行う場合のシステムブロック図を示す。なお、図１に示す、映像表示システムは、ナビゲーション装置に搭載される。同図に示すように、従来の映像表示システム２００は、表示器制御部２１０、表示器２２０によって構成されている。表示器制御部２１０は、ＣＰＵ（Central Processing
Unit）、揮発性のＲＡＭ（Random Access Memory）や不揮発性のＲＯＭ（Read Only Memory）等のメモリによって構成され、メモリに格納された所定のプログラムに基づいて表
示装置に画像を表示するのに必要な所定の処理を実行する。そして、所定の処理を実行するための機能部（プログラム）として、表示器制御部２１０は、外部映像信号処理回路部２１１、映像信号生成回路部２１２、スイッチ回路部２１３、映像信号処理回路部２１４を有する。
【０００４】
外部映像信号処理回路部２１１は、ナビゲーション装置の外部からの映像信号（例えば、携帯音楽プレーヤからの映像信号、ワンセグ放送からの映像信号であり、以下、外部映像信号という。）を受信して、表示器２２０に表示可能とするための処理を行う。表示可能とするための処理とは、外部映像信号を表示器２２０の画像領域に映し出すために行うための処理であり、周波数特性の処理、映像データの各ドットへの当てはめ、画面の位置調整、色彩調整などである。映像信号生成回路部２１３は、記憶部（図示せず）にアクセスし、ナビ機能を実現するために必要な地図データを取得し、内部映像信号として、映像信号処理回路部２１４に対して出力する。スイッチ回路部２１３は、映像信号処理回路部２１４へ送る映像信号を、外部映像信号又は内部映像信号に切り替える。映像信号処理回路部２１４は、スイッチ回路部２１３を経て送られてくる映像信号（外部映像信号若しくは内部映像信号）に対して、表示器２２０に表示可能とするための処理を行う。なお、外部映像信号は、外部映像信号処理回路部２１１によって処理が行われていることから、映像信号処理回路部２１４は、基本的には内部映像信号に対して処理を行う。映像信号処理回路部２１４から出力された映像信号は、表示器２２０へ入力され、表示器２２０に映像が映し出される。
【０００５】
そして、映像評価を実現するためのテストパターンを生成する映像信号発生器（ＳＧ：Signal Generator）２３０は、映像表示システム２００の外部に設けられている。映像信
号発生器２３０は、スイッチ回路部２１３と映像信号処理回路部２１４とを電気的接続する映像信号伝送ライン２１５と接続されており、映像信号発生器２３０から出力されるテストパターン映像信号が映像信号伝送ライン２１５に入力される。そして、テストパターン映像信号は、映像信号処理回路部２１４で表示器２２０に表示可能とするための処理が行われた後、表示器２２０に表示され、表示器２２０の画面に映像が正しく表示されるか否かを確認する評価が行われる。
【０００６】
従来技術における映像評価を行う技術では、テストパターン映像信号を外部の映像信号発生器２３０で生成して、これを映像信号処理回路部２１４によって処理して表示器２２０に表示する。しかしながら、この従来技術におけるテストパターン映像信号は、映像表示システム２００の内部で生成された映像信号ではないことから、正確な評価ができないことが懸念されていた。すなわち、内部で生成されたテストパターン映像信号であれば、画面に表示されるテストパターンに、映像表示システム２００を原因とする異変（例えば、ドットの位置のずれ、画面のにじみ、画面のちらつき等）が生じる。つまり、映像表示システム２００に何らかの故障が発生していると、画面に表示されるテストパターンには、その映像表示システム２００の故障がテストパターンの異変として確実に反映される。しかしながら、外部の映像信号発生器２３０による場合には、外部機器として映像信号発生器２３０を人為的に調整することが可能である。その結果、例えば仮に映像表示システム２００に不具合が発生しており、本来であればテストパターンに異変が反映されるにもかかわらず、映像信号発生器２３０が人為的に調整されることで、正常なテストパターンが画面に表示されてしまうといった事態が起こりうる。また、外部機器としての映像信号発生器２３０から出力されるテストパターン映像信号は、表示器２２０用の映像信号ではないため、映像信号処理回路部２１４による処理負担が大きくなることも懸念される。
【０００７】
本発明では、上記した問題に鑑み、従来よりも正確な映像評価を行うことができる映像評価に関する技術を提供することを課題とする。
【課題を解決するための手段】
【０００８】
本発明では、上述した課題を解決するために、映像信号を生成する映像信号生成部、生成された映像信号を表示する表示部とを備える映像表示システムの内部に、表示部に映像が正しく表示されるか否かを評価するためのテストパターン映像信号を出力可能な機能を持たせることとした。これにより、仮に映像表示システムに不具合が発生した場合には、その不具合がテストパターンの異変として確実に反映される。したがって、テストパターンを映像表示システムの外部から供給していた従来の装置（システム）に比べて、より正確な評価を行うことができる。
【０００９】
より詳細には、本発明に係る映像表示性能評価装置は、映像を表示する映像表示システムの映像信号の表示性能を評価するための映像表示性能評価装置であって、前記画面に表示する映像データを格納する記憶部と、前記記憶部に格納されている映像データを抽出して映像信号として出力する映像信号生成部と、前記映像信号生成部で生成された映像信号に含まれる映像データを表示する画面を含む表示部と、を備える。そして、前記記憶部は、前記画像データとして、前記映像信号に基づいて前記画面に正しく映像が表示されるか否かを判断するためのテストパターンを格納し、前記映像信号生成部は、前記記憶部に格納されているテストパターンを抽出してテストパターン映像信号として出力する。
【００１０】
本発明に係る映像表示性能評価装置は、表示部を備える電子機器の、例えば工場出荷時に行われる、画面に映像が正しく表示されるか否かを評価するための装置として好適に用いることができる。本発明に係る映像表示性能評価装置は、映像表示システムの内部に格納されていることから、テストパターンを映像表示システムの外部から供給していた従来のシステムに比べて、より正確な評価を行うことができる。
【００１１】
記憶部は、画面に表示する映像データを格納する。そして、テストパターンも映像データの一部として記憶部に格納される。格納されているテストパターンは、映像信号生成部によって抽出され、表示部の画面に表示される。なお、映像信号生成部から出力される映像信号に対して、前記表示部に表示可能とするための処理を行う映像信号処理部を更に設けてもよい。画面に表示可能とするための処理とは、基準となるクロック周波数に合わせて映像信号を出力する処理、周波数特性の処理、映像データの各ドットへの当てはめ処理、画面の位置調整処理、色彩調整処理などが例示される。なお、映像信号には、テストパターン映像信号の他、例えば、映像表示システムが、ナビゲーション装置に搭載される場合であれば、地図データ等の内部映像データやナビゲーション装置に接続される携帯端末からの外部映像データが含まれる。なお、外部映像データに関しては、外部映像データを表示部の画面のドット数に合わせて表示するための変換処理等も必要であり、このような変換処理も映像信号処理部が行う。表示部の画面に表示されたテストパターンに基づく評価は、例えば工場からの出荷の際、評価する者が視覚を通じて行ってもよく、また、評価を行うための装置を接続して行ってもよい。
【００１２】
ここで、本発明に係る映像表示性能評価装置において、テストパターン映像信号には、前記映像信号に基づいて前記画面に正しく映像が表示されるか否かを判断するための情報として、映像信号の周波数特性を判断するための情報を含めてもよい。また、テストパターン映像信号には、画面のドットの位置のずれを確認するための情報を含めてもよい。また、テストパターン映像信号には、画面のずれを確認するための情報を含めてもよい。また、テストパターン映像信号には、色彩が正しく表示されているか否かを確認するための情報を含めてもよい。なお、テストパターン映像信号には、上記情報の少なくとも何れか一つが含めることができる。
【００１３】
ここで、テストパターンの態様としては、以下のパターンが例示される。すなわち、テストパターンは、白色のドットが敷き詰められた白色背景部と、該白色背景部に設けられた黒色のドットからなる格子状の黒色格子部と、からなる格子テストパターンと、からなる格子テストパターンとしてもよい。このようなテストパターンによれば、ドット毎のずれ、線の滲みなどの評価が可能となる。
【００１４】
また、テストパターンは、黒色のドットが敷き詰められた黒色背景部と、該黒色背景部の外郭を囲むように設けられた白色のドットからなる白色枠部と、からなる白枠線テストパターンとしてもよい。白枠線部の一部でも画面から消えると画面の中央に映像が表示されていないことになる。したがって、上記テストパターンによれば、画面のずれを確認することができる。
【００１５】
また、テストパターンは、黒色のドットが敷き詰められた黒色背景部と、該黒色背景部に設けられた白色のドットからなる目盛り部と、からなる目盛りテストパターンとしてもよい。このテストパターンによれば、水平方向及び垂直方向のずれを定量的に評価することができる。また、画面サイズの評価を行うことができる。
【００１６】
また、テストパターンは、画面の水平方向に段階的に異なる色調のドット群からなる直線状の階調部であって、該画面の垂直方向において所定の間隔をあけて複数配置される階調部と、前記画面の垂直方向において前記階調部同士の間に設けられる白色のドットからなる直線状の白線部と、からなる階調テストパターンとしてもよい。ドット群とは、複数のドットの纏まりを意味し、画面の水平方向において段階的に異なる色調のドット群からなる直線状の階調部とは、画面の水平方向を例えば、１６階調に分割し、１６階調の各階調をドット群によって構成することを意味する。いわゆる画面のちらつき（フリッカ）は、階調ごとに発生し、また、ちらつきは、白色のドットと黒色のドットが重なって見える
ことで起こりうる。したがって、上記テストパターンによれば、階調ごとの画面のちらつきを評価することができる。
【００１７】
テストパターンは、上記に加えて、画面に表示可能な全ての色調に対応した色を示すドットからなる色彩テストパターンとしてもよい。映像信号を構成するＲＧＢ信号のバランスがくずれると、一部が青みがかったりする。このテストパターンによれば、色彩が正しく表示されているか否かを評価することができる。
【００１８】
なお、本発明に係るテストパターンは、上述した各テストパターンのうち少なくとも何れか一つを含めることができる。これらのテストパターンを表示することで、ドットのずれ等が確認された場合には、映像データが画面に正確に表示されないことが想定される。より詳細には、ドットがずれる原因には、出力される映像信号の周波数のずれ、各ドットへの当てはめの不具合、色彩調整不足等、様々な原因が考えられる。したがって、この場合、映像表示システムを搭載する製品（電子機器）の出荷を取りやめ、部品の交換や修理等を行う必要がある。これにより、不具合製品の出荷を事前に回避することが可能となる。
【００１９】
本発明に係る映像表示性能評価装置は、映像表示システムが搭載される電子機器であれば各種電子機器に適用可能とであるが、ナビゲーション装置の映像表示性能評価装置としても好適に用いることができる。また、本発明は、上述した映像表示性能評価装置を搭載するナビゲーション装置としてもよい。
【００２０】
更に、本発明は、上述した映像表示性能評価装置で実行される処理を実現させる方法、又はプログラムであってもよい。例えば、本発明は、映像を表示する映像表示システムの映像信号の表示性能を評価するための映像表示性能評価方法であって、前記画面に表示する映像データを格納する記憶ステップと、前記記憶ステップで格納された映像データを抽出して映像信号として出力する映像信号生成ステップと、前記映像信号生成ステップで生成された映像信号に含まれる映像データを画面に表示する表示ステップと、を含む工程をコンピュータが実行する。そして、前記記憶ステップでは、前記画像データとして、前記映像信号に基づいて前記画面に正しく映像が表示されるか否かを判断するためのテストパターンを格納し、前記映像信号生成ステップでは、前記記憶ステップで格納するテストパターンを抽出してテストパターン映像信号として出力する。
【００２１】
また、本発明は、映像を表示する映像表示システムの映像信号の表示性能を評価するための映像表示性能評価プログラムであって、前記画面に表示する映像データを格納する記憶ステップと、前記記憶ステップで格納された映像データを抽出して映像信号として出力する映像信号生成ステップと、前記映像信号生成ステップで生成された映像信号に含まれる映像データを画面に表示する表示ステップと、を含む工程をコンピュータに実行させる。そして、前記記憶ステップでは、前記画像データとして、前記映像信号に基づいて前記画面に正しく映像が表示されるか否かを判断するためのテストパターンを格納する。なお、本発明は、そのようなプログラムを記録したコンピュータが読み取り可能な記録媒体であってもよい。この場合、コンピュータ等に、この記録媒体のプログラムを読み込ませて実行させることにより、その機能を提供させることができる。なお、コンピュータ等が読み取り可能な記録媒体とは、データやプログラム等の情報を電気的、磁気的、光学的、機械的、又は化学的作用によって蓄積し、コンピュータ等から読み取ることができる記録媒体をいう。
【発明の効果】
【００２２】
本発明によれば、従来よりも正確な映像評価を行うことができる映像評価に関する技術を提供することができる。
【発明を実施するための最良の形態】
【００２３】
本発明に係る映像表示性能評価装置の実施形態について説明する。なお、以下の説明では、映像表示性能評価装置をナビゲーション装置に搭載した場合を例に説明する。ナビゲーション装置としては、例えば富士通テン株式会社のナビゲーション装置（登録商標。Ａｕｄｉｏ  Ｖｉｓｕａｌ  Ｎａｖｉｇａｔｉｏｎ）等の車載用ナビゲーション装置がある。但し、本発明は、例えば携帯型のナビゲーション機能を有する電子機器等、如何なる電子機器にも適用可能である。
【００２４】
＜ナビゲーション装置の構成＞
図２は、本発明の一実施形態に係るナビゲーション装置１の外観図である。ナビゲーション装置１は、２ＤＩＮ（Ｄｅｕｔｓｃｈｅ  Ｉｎｄｕｓｔｒｉｅ  Ｎｏｒｍｅｎ）の本体・モニタ一体型ナビゲーション装置であり、車両の現在地や目的地までの経路の案内等を行うカーナビゲーション機能や、各種オーディオ／ビジュアル（以下、ＡＶという）コンテンツの再生機能、放送波を受信する機能等を有している。ナビゲーション装置１は、運転席や助手席の乗員の手が届きやすいダッシュボードの中央付近に設置された状態で使用されるものであり、メインユニット２とディスプレイユニット３とで構成されている。
【００２５】
図３は、ナビゲーション装置１の構成図である。メインユニット２は、電子部品類で構成されており、ブレーキ検知部４、リバース検知部５、携帯式プレーヤインターフェース６、放送波受信部７、外部音声／映像入力部８、ＧＰＳ情報受信部９、車速検知部１０、カメラ映像入力部１１、アンプ１２、開閉制御部１３Ａ、角度制御部１３Ｂ、角度センサ１４、モータ１５、ＣＤドライブ１６、カードメモリインターフェース１７、リセットボタン１８、ジャイロセンサ１９、制御部２０が内蔵されている。ディスプレイユニット３は、主に、車両の乗員に対して各種の情報を映像で表示するとともに、ユーザ操作を受け付ける役割を司るデバイス類で構成されており、タッチパネル２１、表示処理部２２、操作受付部２３、操作ボタン２４、赤外線受／発光部２５を内蔵している。
【００２６】
以下、メインユニット２の構成について説明する。ブレーキ検知部４は、車両のパーキングブレーキがかけられているか否かを検知し、これを制御部２０に通知する。ブレーキ検知部４は、パーキングブレーキレバー（あるいはペダル）の動きと連動してオンオフするスイッチの通電状態により、ブレーキの状態を検知する。ブレーキ検知部４は、このスイッチの通電状態を、端子２６Ａを介して電気的に検知する。
【００２７】
リバース検知部５は、車両の変速レバーがリバース（後進）になっているか否かを検知し、これを制御部２０に通知する。リバース検知部５は、変速レバーと連動して動くスイッチのオンオフにより、変速レバーの状態を検知する。リバース検知部５は、このスイッチの通電状態を、端子２６Ｂを介して電気的に検知する。
【００２８】
携帯式プレーヤインターフェース６は、音楽等を再生する携帯式のプレーヤ（例えば、ｉＰｏｄ（登録商標））と双方向通信を行うためのインターフェースである。携帯式プレーヤインターフェース６は、このような携帯式のプレーヤが外部接続されると双方向通信を開始し、プレーヤから送られるオーディオ信号を制御部２０へ送り、制御部２０から送られる再生開始や曲送り等の制御信号をプレーヤへ送る。携帯式プレーヤインターフェース６は、端子２６Ｃに接続されるコードを介してプレーヤと通信を行う。
【００２９】
放送波受信部７は、ワンセグチューナ（「ワンセグ」は商標登録出願中）、ＡＭチューナ（ＡＭ：Ａｍｐｌｉｔｕｄｅ  Ｍｏｄｕｌａｔｉｏｎ）、及びＦＭチューナ（ＦＭ：Ｆｒｅｑｕｅｎｃｙ  Ｍｏｄｕｌａｔｉｏｎ）で構成される回路である。放送波受信部７は、制御部２０からの制御信号に応じてチューナの受信状態を制御し、端子２６Ｄに接続さ
れるアンテナが受信した電波の信号を制御部２０へ送る。
【００３０】
外部音声／映像入力部８は、端子２６Ｅに接続されるビデオ／オーディオ機器からのコンポジット映像信号や音声信号を受け付け、これを制御部２０へ送る回路である。
【００３１】
ＧＰＳ情報受信部９（ＧＰＳ：Ｇｌｏｂａｌ  Ｐｏｓｉｔｉｏｎｉｎｇ  Ｓｙｓｔｅｍ）は、端子２６Ｆに接続されるＧＰＳアンテナが受信したＧＰＳ衛星からの電波の信号を受信し、受信した信号を制御部２０へ送る。周知のように、ＧＰＳは、地球を周回する多数のＧＰＳ衛星のうち少なくとも３つ以上の衛星からの電波に基づいて車両の位置を測位するシステムである。ＧＰＳ情報受信部９は、地球を周回するこれらＧＰＳ衛星の電波の信号を処理する。ＧＰＳ情報受信部９によって受信されたＧＰＳ衛星からの信号は、カーナビゲーションに用いられる。
【００３２】
車速検知部１０は、車軸の回転角に応じて発生する車速パルス信号を検知し、これを制御部２０へ送る回路である。車速検知部１０が検知する車速パルス信号は、車速センサまたは車両のエンジンやブレーキを制御する電子制御ユニットから出力されるステップ状の車速パルス信号であり、単位時間当たりのパルス数から車両速度を割り出す際に用いられる。単位時間当たりのパルス数が増えていれば車両が加速しており、減っていれば車両が減速していることになる。車両の速度と車速パルスとの相関関係は、車両を製造するメーカや車種、装着される車輪の大きさや空気圧等に応じて変化する。このため、制御部２０では、ＧＰＳによる測位結果に基づいて算出される車両の移動距離とその間を走行する間に検知されたパルス数との相関から、車両の速度と車速パルスとの相関関係が適宜更新される。車速検知部１０は、電子制御ユニットから出力される車速パルス信号を、端子２６Ｇを介して電気的に検知する。
【００３３】
カメラ映像入力部１１は、車両の後方を撮影するビデオカメラであるバックアイカメラからの映像信号を受け付け、制御部２０へ送る回路である。すなわち、カメラ映像入力部１１は、リバース検知部５が車両のリバースを検知した際、端子２６Ｈに接続されているビデオカメラからの映像信号を制御部２０へ送る。
【００３４】
アンプ１２は、制御部２０から車室内に設置されるスピーカへ送られる音声信号を増幅する回路である。アンプ１２は、制御部２０からの制御信号に応じて増幅率を任意に変更可能である。
【００３５】
開閉制御部１３Ａは、ディスプレイユニット３の開閉動作を行う回路である。開閉制御部１３Ａは、制御部２０からの制御信号に応じてモータ１５を制御したり、角度センサ１４からの信号を処理したりすることにより、ディスプレイユニット３を開閉する。
【００３６】
角度制御部１３Ｂは、ディスプレイユニット３の角度調整を行う回路である。角度制御部１３Ｂは、開閉制御部１３Ａと同様、制御部２０からの制御信号に応じてモータ１５を制御したり、角度センサ１４からの信号を処理したりすることにより、ディスプレイユニット３の角度を調整する。なお、ディスプレイユニット３の角度とは、ナビゲーション装置１の左右方向に伸びる軸を中心とする、メインユニット２の正面とディスプレイユニット３の正面（すなわち、タッチパネル２１の表面）との相対的な角度である。
【００３７】
角度センサ１４は、ディスプレイユニット３の角度を検知するセンサであり、検知した角度を電気信号で開閉制御部１３Ａへ通知する。モータ１５は、ディスプレイユニット３の角度を調整するモータであり、ディスプレイユニット３の上端を上下に動かしたり、ディスプレイユニット３の下端を前後に動かしたりする。開閉制御部１３Ａおよび角度制御部１３Ｂは、制御部２０からの制御信号を受けると、角度センサ１４で検知されるディス
プレイユニット３の角度と制御信号に基づいて決定される角度の目標値との差を割り出し、角度センサ１４で検知されるディスプレイユニット３の角度が制御目標値と一致するようにモータ１５をフィードバック制御する。
【００３８】
ＣＤドライブ１６は、音楽等のオーディオコンテンツが記録されたＣＤを読み取って再生する光ディスク読取装置であり、光ピックアップレンズや発光素子、ディスク駆動モータ等で構成されている。
【００３９】
カードメモリインターフェース１７は、記憶保持動作が不要な不揮発性の半導体メモリカードを読み書きするメモリカード・リーダライタである。カードメモリインターフェース１７に挿入されるメモリカードは、４ＧＢ程度の記憶容量を有しており、高速道路や一般道等の道路情報、テーマパーク、ガソリンスタンドといった各種施設に関する地点情報（以降、ＰＯＩ（Ｐｏｉｎｔ  Ｏｆ  Ｉｎｔｅｒｅｓｔ）データとも表記）等を含む地図データ、並びに電話番号や施設名称等のデータが記録されている。制御部２０は、メモリカードに記録されている地図データにアクセスすることでカーナビゲーションのルート検索等の諸機能を実現する。
【００４０】
ジャイロセンサ１９は、メインユニット２に内蔵される２軸ジャイロセンサである。ジャイロセンサ１９は、ＧＰＳ衛星からの電波をＧＰＳ情報受信部９が受信できない時でも車両の測位を可能にするためのものである。なお、ＧＰＳ衛星からの電波を受信できない時の車両の位置は、制御部２０により、車速検知部１０が検知する車両速度とジャイロセンサ１９が検知する車両の進行方向とに基づいて算出される。
【００４１】
制御部２０は、ＣＰＵ（Ｃｅｎｔｒａｌ  Ｐｒｏｃｅｓｓｉｎｇ  Ｕｎｉｔ）やＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、入出力インターフェース等で構成されている。制御部２０は、車両のアクセサリー電源がオンになると、ＲＯＭに記録されたコンピュータプログラムを実行し、カードメモリインターフェース１７に挿入されたメモリカードのデータやＲＡＭに格納されているデータ等を使って各種機能を実現する。制御部２０が実現する各種機能の詳細については後述する。なお、本発明に係る映像表示性能評価装置は、制御部２０で実現される機能部（映像表示性能評価処理機能部）として組み込まれている。そして、各テストパターンは、ＲＯＭに格納されている。映像表示性能評価処理機能部装置の詳細については後述する。
【００４２】
次に、ディスプレイユニット３を構成する各構成要素について説明する。タッチパネル２１は、カラー液晶ディスプレイとタッチセンサとを組み合わせたＧＵＩ（Ｇｒａｐｈｉｃａｌ  Ｕｓｅｒ  Ｉｎｔｅｒｆａｃｅ）であり、７．０インチのＥＧＡ（Ｅｎｈａｎｃｅｄ  Ｇｒａｐｈｉｃｓ  Ａｄａｐｔｅｒ）型液晶ディスプレイで画面を表示すると共に、画面に表示されたアイコン等が押されるとタッチセンサがこれを検知する。テストパターンもタッチパネル２１の画面に表示される。
【００４３】
表示処理部２２は、タッチパネル２１の液晶ディスプレイに表示する画面を描画処理する回路である。表示処理部２２は、制御部２０から送られる映像信号に基づき、液晶ディスプレイに格子状に均等配列された薄膜トランジスタを駆動することで、タッチパネル２１の画面を描画する。
【００４４】
操作受付部２３は、タッチパネル２１へのタッチ操作をタッチセンサが感知すると、タッチされた画面上の位置を特定し、操作された位置の情報を制御部２０へ送る。
【００４５】
操作ボタン２４は、タッチパネル２１にアイコン表示されるボタンではなく、機械的な
ボタンであり、図２等に示すように、タッチパネル２１の下に配置される操作用の押しボタン式スイッチである。操作ボタン２４は、ディスプレイユニット３の左側から順に、開閉ボタン、現在地ボタン、音量調整ボタンで構成されている。音量調整ボタンは、右側が押されると音量アップ、左側が押されると音量ダウンになるように設定されている。これらのボタンが押されると、押されたボタンの信号が制御部２０へ送られる。
【００４６】
赤外線受／発光部２５は、ナビゲーション装置１と携帯電話とが赤外線で双方向通信を行うためのインターフェースであり、電気で赤外線を発光する発光素子と、受光した赤外線を電気にする受光素子で構成されている。赤外線受／発光部２５は、制御部２０から送られる制御信号やデータを携帯電話へ送るとともに、携帯電話から送られる制御信号やデータを制御部２０へ送る。
【００４７】
次に、メインユニット２の制御部が実現する各種諸機能について詳述する。図４は、制御部２０が実現する各種機能部を図示した機能ブロック図である。車両のアクセサリー電源がオンになると、制御部２０は、図４に示すように操作処理機能部５１、測位機能部５２、ルート案内機能部５３、地図データ処理機能部５４、ユーザデータ処理機能部５５、音声処理機能部５６、及び映像処理機能部５７を実現するコンピュータプログラムを実行する。
【００４８】
操作処理機能部５１は、各種機能部の動作を制御するための操作画面を、映像処理機能部５７を介してタッチパネル２１に表示したり、操作受付部２３や操作ボタン２４、リセットボタン１８からの操作信号を処理し、各種機能部の動作を制御したりする。
【００４９】
測位機能部５２は、車両のアクセサリー電源がオンになると、ＧＰＳ情報受信部９から送られる衛星からの電波の情報、車速検知部１０から通知される車両速度の情報、及びジャイロセンサ１９から送られる角速度の情報に基づいて車両の位置（緯度と経度）を測位する。
【００５０】
ルート案内機能部５３は、車両の現在地からユーザが設定した目的地までのルートを索出し、ルート案内を行う機能部である。ルート案内機能部５３は、測位機能部５２が測位した車両の位置から目的地までの走行ルートを、カードメモリインターフェース１７に挿入されるメモリカードの地図データから索出する。そして、索出した走行ルートと車両の位置との関係から車両の進路を音声、及び映像で案内する。
【００５１】
地図データ処理機能部５４は、カードメモリインターフェース１７に挿入されたメモリカードの地図データやルート案内機能部５３が索出した走行ルートのデータ、放送波受信部７を介してＦＭ放送波から取得されるＶＩＣＳ（登録商標）の道路交通情報のデータ、測位機能部５２が測位した車両の位置データ等に基づき、タッチパネル２１に表示する地図のグラフィックデータを生成する。
【００５２】
ユーザデータ処理機能部５５は、ユーザが登録しようとする地点情報（例えば、自宅の位置情報等）やルート検索の履歴情報、アイコンの表示非表示等の設定情報をＲＡＭに書き込んだり、ＲＡＭから読み出したりする。
【００５３】
音声処理機能部５６は、アンプ１２を介してスピーカから出力する音声の信号を処理する機能部である。すなわち、音声処理機能部５６は、放送波受信部７が受信したラジオ放送、携帯式プレーヤインターフェース６がプレーヤから取得するオーディオ信号、ＣＤドライブ１６が再生するオーディオ信号をアンプ１２へ送ったり、これらのオーディオ信号にルート案内機能部５３からのルートガイダンスの音声信号を重畳し、アンプ１２へ送ったりする。
【００５４】
映像処理機能部５７は、タッチパネル２１に表示させる映像データを生成する機能部である。すなわち、映像処理機能部５７は、操作処理機能部５１が生成する操作画面のデータと、地図データ処理機能部５４が生成する表示用地図の画面のデータとを重畳して表示処理部２２へ送ったり、放送波受信部７が受信したテレビジョン放送の映像データを表示処理部２２へ送ったり、或いはリバース検知部５による車両後退の検知に連動してカメラ映像入力部１１からの映像信号を表示処理部２２へ送ったりする。なお、映像処理機能部５７は、テレビジョン放送の映像データを表示処理部２２へ送っている際にブレーキ検知部４がパーキングブレーキの解除を検知すると、映像データの通知を止める。
【００５５】
映像表示性能評価処理機能部５８は、タッチパネル２１に表示させる映像データのうちテストパターンからなる映像データを生成する機能部である。すなわち、映像表示性能評価処理機能部５８は、ＲＯＭに格納されているテストパターンを抽出し、テストパターン映像信号として表示処理部２２へ送る。なお、映像表示性能評価処理機能部５８で実行される機能は、操作処理機能部５１により、評価やメンテナンスを行うためのダイアグモードが選択されることで実行される機能である。
【００５６】
＜動作＞
次に、ナビゲーション装置１の動作について説明する。図５はナビゲーション装置１の画面の画面遷移図であり、図６はナビに関する画面遷移図である。また、図７は、ＡＶ画面の表示モードを示した図である。
【００５７】
（Ｄ１０１）オープニング画面（Ｄ１０１）について説明する。車両のアクセサリー電源がオンになり、ナビゲーション装置１に電力が供給されると、制御部２０は、ＲＯＭに格納されているコンピュータプログラムを実行してナビゲーション装置１を初期化し、図４に示す各種機能部を実現する。ここで、映像処理機能部５７は、ＲＯＭに格納されているオープニング画面のデータを参照し、タッチパネル２１にオープニング画面を表示させる。なお、オープニング画面が表示されている間、制御部２０の各機能部では、次のような処理が実行される。すなわち、操作処理機能部５１は、操作受付部２３や操作ボタン２４、リセットボタン１８からの信号を走査してユーザ操作を受け付ける。また、測位機能部５２は、ＧＰＳ情報受信部９で取得される測位情報や車速検知部１０、ジャイロセンサ１９の信号を処理し、車両の位置を測定する。また、地図データ処理機能部５４は、カードメモリインターフェース１７に挿入されているカードメモリへアクセスし、測位機能部５２が測位した自車位置の周辺の地図データを読み出す。
【００５８】
（Ｄ１０２）次に、マルチ画面（Ｄ１０２）について説明する。オープニング画面が表示されてから４秒経つと、映像処理機能部５７は、ＲＯＭに格納されている操作ボタン類の画像データや地図データ処理機能部５４が読み出した地図データを基に、ＡＶの操作画面とナビの操作画面とを組み合わせたマルチ画面（Ｄ１０２）を生成し、タッチパネル２１に表示する。図８は、マルチ画面の図である。映像処理機能部５７は、図８に示すように、ＡＶ類の操作ボタン類を配置したＡＶ領域の画面をタッチパネル２１の左側に表示し、ナビの地図や操作ボタン類を配置したナビ領域の画面をタッチパネル２１の右側に表示する。ＡＶ領域は、更に、ソースを選択するための操作ボタン類をまとめて表示するソース選択領域と、選択されたソースに関連するボタンや情報を表示するソース操作領域とに区分されている。
【００５９】
図８に示すように、映像処理機能部５７は、ＡＶ領域の内のソース選択領域に、「ラジオ」、「ＣＤ」、「ワンセグ」、「ｉＰｏｄ」、「外部入力」、「ＯＦＦ」、及び「ＡＶ」ボタンを表示する。何れかのソースボタンがタッチされると、そのソースが選択される。図８の例では、「ラジオ」が選択されており、受信周波数やＡＭ／ＦＭの切り替えボタ
ン、選局ボタン等の選択されたソースに関連する操作ボタンや情報がソース操作領域に表示されている状態を図示している。従って、このとき、音声処理機能部５６は、放送波受信部７が受信したＡＭ放送の音声信号を、アンプ１２を介してスピーカから出力している。他方、映像処理機能部５７は、ナビ領域に、地図データ処理機能部５４が読み出した地図データに基づいて描画される地図の他、「メニュー」、「目的地」、「周辺」、「自宅」、「ナビ」、「地図拡大」、及び「地図縮小」ボタンを表示する。なお、マルチ画面（Ｄ１０２）では、ＡＶ領域とナビ領域の２つが存在するため、ＡＶ領域がＡＶ全画面（Ｄ１０４）の時よりも狭い。そこで、マルチ画面（Ｄ１０２）のソース操作領域には、そのソースに関わる操作ボタンや情報のうち基本的なものだけが表示されるようになっている。
【００６０】
この状態で「ＡＶ」ボタンが押されたことを操作処理機能部５１が検知すると、映像処理機能部５７は、ＡＶ全画面（Ｄ１０４）の画面表示状態に遷移する。なお、その他のボタンが押された場合についてはナビ全画面（Ｄ１０３）、及びＡＶ全画面（Ｄ１０４）の説明の後に詳述する。
【００６１】
（Ｄ１０３）次に、ナビ全画面（Ｄ１０３）について説明する。映像処理機能部５７は、マルチ画面（Ｄ１０２）に表示されている「ナビ」ボタンが押されたことを操作処理機能部５１が検知すると、ＡＶ領域を徐々に隠し、ナビ領域を全画面に表示する。図９は、ナビ全画面の図である。映像処理機能部５７は、図９に示すように、ＡＶ領域を消し、ナビ領域をタッチパネル２１に全画面表示する。
【００６２】
図９に示すように、ナビ領域には、マルチ画面（Ｄ１０２）と同様、地図や、「メニュー」、「目的地」等の操作ボタンが表示されている。ここで、映像処理機能部５７は、ナビ全画面に表示される自車位置のアイコンが、ナビ領域の中心に位置するように画面を表示している。このため、タッチパネル２１の表示画面がマルチ画面（Ｄ１０２）からナビ全画面（Ｄ１０３）に遷移すると、自車位置のアイコンや地図の表示が、画面内で若干スクロールする。一方、映像処理機能部５７は、「メニュー」や「目的地」等の操作ボタン類がタッチパネル２１の表示画面上で同じ位置になるように画面を表示する。このため、タッチパネル２１の表示画面がマルチ画面（Ｄ１０２）からナビ全画面（Ｄ１０３）に遷移しても、ナビの操作ボタン類がタッチパネル２１の画面上でスクロールせず、同じ位置に表示され続ける。なお、「ＡＶ＋ナビ」ボタンが押されると、映像処理機能部５７は、ナビ全画面（Ｄ１０３）からマルチ画面（Ｄ１０２）へ表示を切り替える。
【００６３】
（Ｄ１０４）次に、ＡＶ全画面（Ｄ１０４）について説明する。映像処理機能部５７は、マルチ画面（Ｄ１０２）に表示されている「ＡＶ」ボタンが押されたことを操作処理機能部５１が検知すると、ナビ領域を徐々に隠し、ＡＶ領域を全画面に表示する。図１０は、ＡＶ全画面の図である。映像処理機能部５７は、図１０に示すように、ナビ領域を消し、ＡＶ領域をタッチパネル２１に全画面表示する。
【００６４】
図１０に示すように、ＡＶ領域には、マルチ画面（Ｄ１０２）と同様、「ラジオ」、「ＣＤ」、「ワンセグ」、「ｉＰｏｄ」、「外部入力」、及び「ＯＦＦ」ボタンがソース選択領域に表示されている。また、ＡＶ領域には、ソース操作領域が拡大されて、マルチ画面（Ｄ１０２）で表示されていなかった放送局の名称やプリセットの選局ボタン、チャンネル設定ボタンや音設定ボタンが表示されている。また、ＣＤドライブ１６にＣＤが挿入されていることを示す「ＣＤＩＮ」が表示されている。ここで、ＡＶ領域には、マルチ画面（Ｄ１０２）で表示されていた「ラジオ」等の操作ボタン類が同じ位置に表示されている。以下、マルチ画面とＡＶ全画面の両方で表示される領域を「ＡＶ通常領域」といい、ＡＶ全画面でのみ表示される領域を「ＡＶ拡張領域」という。なお、「ＡＶ＋ナビ」ボタンが押されると、映像処理機能部５７は、ＡＶ全画面（Ｄ１０４）からマルチ画面（Ｄ１
０２）へ表示を切り替える。なお、ＡＶ全画面（Ｄ１０４）では、ナビ領域が存在しないので、ＡＶ領域がマルチ画面（Ｄ１０２）の時よりも広い。そこで、ＡＶ全画面（Ｄ１０４）のソース操作領域には、そのソースに関わる全ての操作ボタンや情報が表示されるようになっている。このように、ＡＶ全画面（Ｄ１０４）の場合にのみ表示されるソースの操作ボタンや情報類の表示領域が「ＡＶ拡張領域」であり、ソース操作領域の一部を構成している。一方、マルチ画面（Ｄ１０２）とＡＶ全画面（Ｄ１０４）の何れにも表示されるソースの操作ボタンや情報類の表示領域が「ＡＶ通常領域」であり、ソース操作領域の一部とソース選択領域とを構成している。
【００６５】
（Ｄ７０１）次に、ダイアグモード選択画面（Ｄ７０１）について説明する。映像処理機能部５７は、所定の操作がされたことを操作処理機能部５１が検知すると、ダイアグモード選択画面を全画面に表示する。図１１は、ダイアグモード選択画面の一例である。ダイアグモード選択画面には、映像表示処理評価実行ボタン、音声信号処理評価ボタン、メンテナンス実行ボタンが表示されている。なお、本実施形態では、ダイアグモード選択画面には、所定の操作を行うことでいずれの画面からも遷移可能である。所定の操作は、メーカーやディーラーのみが知りうる操作として適宜設定することができる。
【００６６】
映像表示処理評価ボタンが選択されると、画面に表示可能なテストパターンが表示される。図１２は、テストパターン選択画面（Ｄ７０２）の一例である。映像処理機能部５７は、ダイアグモード選択画面において映像表示処理評価ボタンが選択されると、テストパターン選択画面を全画面に表示する。テストパターン選択画面には、本態様では、５つのテストパターン（１．クロスハッチ  ２．白枠線  ３．クロスハッチ（目盛り）  ４．１６階調  ５．グラデーション）に対応する選択ボタンが表示されている。
【００６７】
次に各テストパターンについて説明する。なお、本態様では、画面のドット数が、４００ドット（水平）×２３４ドット（垂直）である。以下に説明するテストパターンは、ＲＯＭに格納されており、映像表示性能評価処理機能部５８が、テストパターン選択画面から選択されたテストパターンを抽出し、テストパターン映像信号として表示処理部２２へ送ることで、最終的に画面に表示される。
【００６８】
図１３は、クロスハッチテストパターンを示す。また、図１４は、クロスハッチパターンを構成する格子部分の拡大を示す。クロスハッチパターンは、白色のドットが敷き詰められた白色背景部９０１と、該白色背景部９０１に設けられた黒色のドットからなる格子状の黒色格子部９０２と、からなる。本態様では、一つの格子が、１０ドット×１０ドットによって構成され、そのうち９ドット×９ドットが白色のドットからなり、外側の隣接する２辺が黒色のドットによって構成されている。クロスハッチテストパターンによれば、ドット毎のずれ、線の滲みなどの評価が可能となる。また、映像信号の周波数のずれ、換言すると周波数特性の評価も可能となる。
【００６９】
図１５は、白枠線テストパターンを示す。また、図１６は、白枠線テストパターンの角部の拡大を示す。白枠線テストパターンは、黒色のドットが敷き詰められた黒色背景部９０３と、この黒色背景部９０３の外郭を囲むように設けられた白色のドットからなる白色枠部９０４と、からなる。白枠線部９０４の一部でも画面から消えると画面の中央に映像が表示されていないことになる。したがって、白枠線テストパターンによれば、画面のずれを確認することができる。
【００７０】
図１７は、目盛り付きクロスハッチテストパターンを示す。また、図１８は、目盛り付きクロスハッチテストパターンの目盛りの拡大を示す。黒色のドットが敷き詰められた黒色背景部９０５と、この黒色背景部９０５に設けられた白色のドットからなる目盛り部９０６と、からなる。この目盛り付きクロスハッチテストパターンによれば、水平方向及び
垂直方向のずれを定量的に評価することができる。また、画面サイズの評価を行うことができる。
【００７１】
図１９は、階調テストパターンを示す。また、図２０は、階調テストパターンの拡大を示す。画面の水平方向において段階的に異なる色調のドット群（９０７ａ、９０７ｂ、・・・９０７ｏ、９０７ｐ）からなる直線状の階調部９０７であって、画面の垂直方向において所定の間隔をあけて複数配置される階調部９０７と、画面の垂直方向において階調部９０７同士の間に設けられる白色のドットからなる直線状の白線部９０８と、からなる。ドット群（９０７ａ、９０７ｂ、・・・９０７ｏ、９０７ｐ）とは、複数のドットの纏まりを意味する。本態様では、１６階調に分割され、１６階調の各階調をドット群によって構成することを意味する。いわゆる画面のちらつき（フリッカ）は、階調ごとに発生し、また、ちらつきは、白色のドットと黒色のドットが重なって見えることで起こりうる。したがって、階調テストパターンによれば、階調ごとの画面のちらつきを評価することができる。
【００７２】
図２１は、階調テストパターンを示す。階調テストパターンは、画面に表示可能な全ての色調（本態様では、２５６色）に対応したドットからなる。映像信号を構成するＲＧＢ信号のバランスがくずれると、一部が青みがかったりする。この色彩テストパターンによれば、色彩が正しく表示されているか否かを評価することができる。
【００７３】
次に、映像表示性能評価処理について説明する。図２２は、映像表示性能評価処理フロー図を示す。まず、ステップＳ１１では、モードの判断が行われる。すなわち、操作処理機能部５１は、ダイアグモード画面（Ｄ７０１）を表示するための所定の操作が行われるとダイアグモードが選択されたと判断する。そして、ステップＳ１２へ進む。一方、そのような所定の操作が行われていなければ、ステップＳ１３へ進む。
【００７４】
ステップＳ１２では、テストパターンデータが生成される。すなわち、映像表示性能評価処理機能部５８は、テストパターン選択画面（Ｄ７０２）から選択されたテストパターンをＲＯＭへアクセスして、選択されたテストパターンデータを抽出する。なお、ＲＯＭに格納されているテストパターンデータとは、図１３から図２１に示すテストパターンに相当する映像データである。なお、ステップＳ１１において、ダイアグモードが起動されなかった場合、通常のナビ制御が行われる。テストパターンデータの生成が完了するとステップＳ１４へ進む。
【００７５】
ステップＳ１４では、生成されたテストパターン（データ）が映像信号として出力される。すなわち、映像表示性能評価処理機能部５８は、生成したテストパターンを映像信号として表示処理部２２へ送る。映像信号の出力が完了すると、ステップＳ１５へ進む。
【００７６】
ステップＳ１５では、選択されたテストパターンが画面に表示される。すなわち、表示処理部２２は、映像表示処理評価機能部５８から送られるテストパターン映像信号に基づき、液晶ディスプレイに格子状に均等配列された薄膜トランジスタを駆動することで、タッチパネル２１の画面を描画する。テストパターンの表示がなされると、ステップＳ１６では、映像表示性能評価が行われ、その後処理が終了する。なお、映像表示性能評価、すなわち、画面に表示されたテストパターンに基づく評価は、例えば工場からの出荷の際、評価する者が視覚を通じて行ってもよく、また、評価を行うための装置を接続してコンピュータが行ってもよい。コンピュータに評価を行わせる場合、例えば、正常時のテストパターンと出荷時のナビゲーション装置から取得したテストパターンとを比較し、両者の間にズレがあれば何らかの不具合が発生している虞があると判断させることができる。
【００７７】
以上説明した実施形態に係る映像表示性能評価装置は、ナビゲーション装置の内部にテ
ストパターンデータが格納され、かつ、テストパターン映像信号が出力される。これにより、仮にナビゲーション装置の映像を表示するシステムに不具合が発生した場合には、その不具合がテストパターンの異変として確実に反映される。したがって、テストパターンを映像を表示するシステムの外部から供給していた従来のシステムに比べて、より正確な評価を行うことができる。また、テストパターンデータは、ナビゲーション装置のディスプレイに表示できるように予め調整されているので、映像表示性能評価処理機能部５８の処理負担や表示処理部２２の処理負担の軽減を図ることができる。
【図面の簡単な説明】
【００７８】
【図１】従来技術における映像評価を行う場合のシステムブロック図。
【図２】実施形態に係るナビゲーション装置の外観図。
【図３】ナビゲーション装置の構成図。
【図４】制御部が実現する各種機能部を図示した機能ブロック図。
【図５】ナビゲーション装置の画面の画面遷移図。
【図６】ナビに関する画面遷移図。
【図７】ＡＶ画面の表示モードを示した図。
【図８】マルチ画面の図。
【図９】ナビ全画面の図。
【図１０】ＡＶ全画面の図。
【図１１】ダイアグモード選択画面。
【図１２】テストパターン選択画面。
【図１３】クロスハッチテストパターンを示す図。
【図１４】クロスハッチパターンを構成する格子部分の拡大を示す図。
【図１５】白枠線テストパターンを示す図。
【図１６】白枠線テストパターンの角部の拡大を示す図。
【図１７】目盛り付きクロスハッチテストパターンを示す図。
【図１８】目盛り付きクロスハッチテストパターンの目盛りの拡大を示す図。
【図１９】階調テストパターンを示す図。
【図２０】階調テストパターンの拡大を示す図。
【図２１】階調テストパターンを示す図。
【図２２】映像表示性能評価処理フロー図。
【符号の説明】
【００７９】
１・・・ナビゲーション装置
２・・・メインユニット
３・・・ディスプレイユニット
１７・・カードメモリインターフェース
２０・・制御部
２１・・タッチパネル
２２・・表示処理部
２３・・操作受付部
２８・・カード挿入口
５０・・初期処理機能部
５１・・操作処理機能部
５２・・測位機能部
５３・・ルート案内機能部
５４・・地図データ処理機能部
５５・・ユーザデータ処理機能部
５６・・音声処理機能部
５７・・映像処理機能部
５８・・映像表示処理評価機能部
１０１・・ＣＰＵ
１０２・・メモリ
１０４・・ハードディスク駆動装置
１０６・・入力装置
１０８・・表示装置
１１０・・ネットワークインターフェース
１１２・・着脱可能媒体駆動装置
１１４・・メモリカード・リーダ・ライタ
【図１】
2010087793.tif 000003
【図２】
2010087793.tif 000004
【図３】
2010087793.tif 000005
【図４】
2010087793.tif 000006
【図５】
2010087793.tif 000007
【図６】
2010087793.tif 000008
【図７】
2010087793.tif 000009
【図８】
2010087793.tif 000010
【図９】
2010087793.tif 000011
【図１０】
2010087793.tif 000012
【図１１】
2010087793.tif 000013
【図１２】
2010087793.tif 000014
【図１３】
2010087793.tif 000015
【図１４】
2010087793.tif 000016
【図１５】
2010087793.tif 000017
【図１６】
2010087793.tif 000018
【図１７】
2010087793.tif 000019
【図１８】
2010087793.tif 000020
【図１９】
2010087793.tif 000021
【図２０】
2010087793.tif 000022
【図２１】
2010087793.tif 000023
【図２２】
2010087793.tif 000024